(57)【要約】      （修正有）【課題】四角形の布地１〜２枚を使って簡易に製作でき、装飾効果を有するとともに変形が自在であり携帯にも便利な収納袋を提供する。【解決手段】四角形状の布地１の中間部に水平方向に開口するファスナー２を設け、布地１の上辺１ｕを下方側に折り込んで綴じるとともに、下辺１ｄを上方側に折り込んで綴じる（３ｕ，３ｄ）ことにより、上辺部１ｕと下辺部１ｄにゴムの通し部を形成し、布地の左辺１ｌと右辺１ｒとを綴じ込むとともに、前記ゴムの通し部に設けられたゴムの両端を付勢状態で結ぶことにより、前記布地の左辺１ｌと右辺１ｒを綴じ込むことにより形成される上辺と下辺の開口をすぼめることで袋体を形成する。【選択図】図５
0003165720.tif 000002
【実用新案登録請求の範囲】
【請求項１】
四角形状の布地の中間部に水平方向に開口するファスナーを設け、
前記布地の上辺を下方側に折込んで綴じるとともに、下辺を上方側に折り込んで綴じるこ
とにより、上辺部と下辺部にゴムの通し部を形成し、
前記布地の左辺側と右辺側とを綴じ込むとともに、前記ゴムの通し部に設けられたゴム
の両端を付勢状態で結ぶことにより、前記布地の左辺と右辺を綴じ込むことにより形成さ
れる上辺と下辺の開口をすぼめて形成したことを特徴とする折り重なった縦じわ模様が表
面に形成された収納袋。
【請求項２】
四角形状の2枚の布地の中間部に水平方向に開口する両面ファスナーを設け、
前記それぞれの布地の上辺を下方側に折込んで綴じるとともに、下辺を上方側に折り込ん
で綴じることにより、上辺部と下辺部にゴムの通し部を形成し、
前記それぞれの布地の左辺側と右辺側とを綴じ込むとともに、前記ゴムの通し部に設け
られたゴムの両端を付勢状態で結ぶことにより、前記布地の左辺と右辺を綴じ込むことに
より形成される上辺と下辺の開口をすぼめて形成したことを特徴とする折り重なった縦じ
わ模様が表面に形成されたリバーシブルな収納袋。
【請求項３】
ファスナーの上方側乃至下方側の布地が上下で異なった色の布地である請求項１又は２記
載の収納袋。
【請求項４】
表裏の装飾の中間にこぶを形成しておくことを特徴とする請求項１ないし３のいずれか１項記載のリバーシブルな収納袋。
【考案の詳細な説明】
【技術分野】
【０００１】
本考案は、買い物等で使用されるバッグの見栄えを良くすると共に、バッグの保管や収
納が便利であり、さらに、変形可能でコンパクトな収納袋に関する。
【背景技術】
【０００２】
装飾効果を備えた収納袋としては、特許文献１に記載された技術が提示されている。
この収納袋はぬいぐるみ形状をしており、バッグ用収納部を備えたぬいぐるみは、頭部
と胴体部を備え、頭部は、頭部の形状を維持する形状維持部材が内蔵され、胴体部は、物
品収納用のバッグを折り畳んで収納可能な収納部を有し、バッグは収納部と直接又は間接
的に連結している。
しかし、この収納袋は、頭部の形状を維持しており、その部分の変形はできない。従っ
て、携帯する場合、ハンドバッグへの収納ができない場合がある。すなわち、携帯上不便
である。
【先行技術文献】
【特許文献】
【０００３】
【特許文献１】特開２０１０−１３１１５９号公報
【考案の開示】
【考案が解決しようとする課題】
【０００４】
本考案は、装飾効果を有するとともに変形が自在であり携帯にも便利な収納袋を提供す
ることを目的とする。
【課題を解決するための手段】
【０００５】
本考案の収納袋は、四角形状の布地の中間部に水平方向に開口するファスナーを設け、
前記布地の上辺を下方側に折込んで綴じるとともに、下辺を上方側に折り込んで綴じるこ
とにより、上辺部と下辺部にゴムの通し部を形成し、前記布地の左辺側と右辺側とを綴じ
込むとともに、前記ゴムの通し部に設けられたゴムの両端を付勢状態で結ぶことにより、
前記布地の左辺と右辺を綴じ込むことにより形成される上辺と下辺の開口をすぼめて形成
したことを特徴とする折り重なった縦じわ模様が表面に形成されたことを特徴とする。
【０００６】
本考案のリバーシブルな収納袋は、四角形状の２枚の布地の中間部に水平方向に開口す
る両面ファスナーを設け、前記それぞれの布地の上辺を下方側に折込んで綴じるとともに
、下辺を上方側に折り込んで綴じることにより、上辺部と下辺部にゴムの通し部を形成し
、前記それぞれの布地の左辺側と右辺側とを綴じ込むとともに、前記ゴムの通し部に設け
られたゴムの両端を付勢状態で結ぶことにより、前記布地の左辺と右辺を綴じ込むことに
より形成される上辺と下辺の開口をすぼめて形成したことを特徴とする折り重なった縦じ
わ模様が表面に形成されたことを特徴とする。
【０００７】
本考案の収納袋は、ファスナーの上方側乃至下方側の布地が上下で異なった色の布地で
あることが好ましい。
【０００８】
また、バッグは、物品を収納する袋部と、袋部に連結固定された把持部を有し、ぬいぐ
るみの頭部及び／又はバッグの一部には、ぬいぐるみの頭部及びバッグを着脱可能に連結
固定する取付手段が設けられても良い。また、取付手段が、把持部に設けられていても良
い。更には、取付手段が、把持部と袋部の基部近傍に設けられていても良い。
また、表裏の装飾の中間にこぶを形成しておくことが好ましい。
【考案の効果】
【０００９】
通常時は収納袋内にバッグを収納し、収納袋を適当な場所に置くことができ、バッグの
保管管理が非常に便利である。更に、バッグ使用時には、収納袋をバッグに取り付けても
よい。このメリットは従来技術と同じであるが、取り付けない場合には、本考案の収納袋
は、形状を変えることが可能であり、コンパクトに折り畳むことも可能なためハンドバッ
グ内に、スペースをとらずに収納することも可能である。
【００１０】
なお、従来技術では、バッグは、物品を収納する袋部と、袋部に連結固定された把持部
を有し、ぬいぐるみの頭部及び／又はバッグの一部には、ぬいぐるみの頭部及びバッグを
着脱可能に連結固定する取付手段が設けられているため、バッグ使用時にぬいぐるみをバ
ッグに取り付けることができ、バッグの見栄えを良くすることができる。更に、バッグ使
用時にぬいぐるみをバッグの外側に取り付けて保管できるため、非常に便利である。
本考案も同様の効果を達成することが可能である。
【００１１】
また、従来技術と同様に、収納部には、取付手段として磁石を内蔵することが可能であ
り、バッグには、取付手段として磁石又は磁石に吸着する吸着部材が内蔵させておけば、
収納袋みとバッグの着脱が非常に容易である。更に、冷蔵庫や適当な金属部分にぬいぐる
みを取り付けて保管することができるため、収納袋及びバッグの収納管理が非常に便利で
ある。
なお、本考案の収納袋は、エコバッグのみならず、例えば、雨合羽その他の折り畳み可能な物を収納することができる。
【図面の簡単な説明】
【００１２】
【図１】実施の形態１における収納袋の形成工程を示す平面図である。
【図２】実施の形態１における収納袋の形成工程を示す平面図である。
【図３】実施の形態１における収納袋の形成工程を示す平面図である。
【図４】実施の形態１における収納袋の形成工程を示す平面図である。
【図５】実施の形態１における収納袋の形成工程を示す平面図である。
【図６】実施の形態１における収納袋の形成工程を示す平面図である。
【図７】実施の形態１における収納袋の正面図である。
【図８】実施の形態１における収納袋の右側面である。
【図９】実施の形態１における収納袋の背面図である。
【図１０】実施の形態１における収納袋の左側面図である。
【図１１】実施の形態１における収納袋の上面図である。
【図１２】実施の形態１における収納袋の下面図である。
【図１３】実施の形態１における収納袋の斜視図である。
【図１４】実施の形態２において使用した装飾の平面図である。
【図１５】実施の形態２における収納袋の正面図である。
【図１６】実施の形態２における収納袋の右側面である。
【図１７】実施の形態２における収納袋の背面図である。
【図１８】実施の形態２における収納袋の左側面図である。
【図１９】実施の形態２における収納袋の上面図である。
【図２０】実施の形態２における収納袋の下面図である。
【図２１】実施の形態２における収納袋の斜視図である。
【図２２】実施の形態３における形成工程を示す平面図である。
【図２３】実施の形態２における収納袋の正面図である。
【図２４】実施の形態２における収納袋の右側面である。
【図２５】実施の形態２における収納袋の背面図である。
【図２６】実施の形態２における収納袋の左側面図である。
【図２７】実施の形態２における収納袋の上面図である。
【図２８】実施の形態２における収納袋の下面図である。
【図２９】実施の形態２における収納袋の斜視図である。
【考案を実施するための形態】
【００１３】
（形態１）
図５に基づき本形態の収納袋を説明する。
本形態に係る収納袋は、、四角形状の布地１の中間部に水平方向に開口するファスナー
２を設け、布地１の上辺１ｕを下方側に折り込んで綴じるとともに、下辺１ｄを上方側に
折り込んで綴じる（３ｕ，３ｄ）ことにより、上辺部１ｕと下辺部１ｄにゴムの通し部４
ｕ、４ｄ（図６）を形成し、
布地の左辺１ｌと右辺１ｒとを綴じ込むとともに、前記ゴムの通し部４ｕ、４ｄに設け
られたゴムの両端を付勢状態で結ぶことにより、前記布地の左辺１ｌと右辺１ｒを綴じ込
むことにより形成される上辺と下辺の開口をすぼめる。これにより折り重なった縦じわ模
様が表面に形成されている。
【００１４】
以下に、本形態の収納袋をその製造手順に従ってより詳細に説明する。
図１に示すように、本例では、四角形状の布地は、分割された小さな３枚の布地１ａ，
１ｂ１，１ｂ２を縫い合わせて形成する。本例では、四角形状の二分の１の大きさの布地
、１ａと、四分の一の大きさ２枚の布地１ｂ１、１ｂ２の３枚を用意した。
もちろん、大きな布地を裁断しながら形成してもいい。
図２に示すように、３枚の布地１ａ，１ｂ１，１ｂ２のうち２枚の布地に折込５ｕ、５
ｄを与える。図２において上側の布地１ｂ１はその下辺を上側に折り込む。下側の布地１
ｂ２はその上辺を下側に折り込む。
【００１５】
本例ではファスナーの開口長さを収納袋の二分の一とするため、図３に示すように、フ
ァスナー２は布地１ｂ１と１ｂ２とに縫い合わせる。ファスナー２の布地１ｂ１、１ｂ２
への縫い合わせは、折込５ｕ、５ｄにおいて、縫い合わせ４ｕ、４ｄを加えることにより
行う（図３）。
【００１６】
次いで、二分の一の布地１と、ファスナー２が縫い合わせられて二分の一の大きさにな
った布地１ｂとを縫い合わせ６により縫う合わせる（図４）。
次に、図５に示すように、布地１の上辺１ｕを下方側に折込んで綴じる（３ｕ）ととも
に、下辺１ｄを上方側に折り込んで綴じる（３ｄ）ことにより、上辺部にゴムの通し部４
ｕを形成、下辺部にゴムの通し部４ｄを形成する。
【００１７】
図５のＸ−Ｘ断面図を図６に示す。
次いで、図５に状態から紙面の裏側に向けて布地を折り曲げ、て左辺１ｌと右辺１ｒと
において、綴じ込みを行う。
これにより、布地１は、上辺と下辺が開口した四角形状の薄い袋体となる。
次いで、ゴムの通し部４ｕと４ｄにゴムを挿入し、上辺と下辺の開口がすぼまる程度の
付勢をゴムに与えて、ゴムの両端を結ぶ。それにより、開口は、すぼむ。すなわち、開口
は小さく縮まり、開口は点状に閉じた状態となる。布地１は、外形形状は楕円体となる。
ファスナーの開口から、袋を裏返せば、折込部が内部に隠された収納袋を得ることがで
きる。
【００１８】
また、図５に示した、上辺１ｕ、下辺１ｄの折込の綴じ合わせを行った、長さＨ１、Ｈ
２に対応して、点状に綴じた部分（以下「極点」という）から放射方向にＨ１、Ｈ２の間
は、布地は密着して折り重なりながら放射状のしわを形成する。Ｈ１、Ｈ２より内側にお
いては、隣接するしわ同士は密着せず、末広がりに広がっていく。
また、ファスナー２の外側の線ｍ、ｎから内側にはしわは存在しない。従って、ファス
ナーの幅を適宜に選択すればしわの存在しない領域を希望により決定することが可能であ
る。
なお、本例では、布地１ａは、１３５ｍｍ×１４０ｍｍ、布地１ｂ１、１ｂ２はその二
分の一の寸法のナイロン製の布地とした。縦横の長さの比及びを適宜選択することにより
しわの波打つ状態を適宜変化させることができる。
本例では、ファスナーの幅（図５のｎｍ間の距離）は２２ｍｍとした。Ｈ１、Ｈ２は１
０ｍｍとした。
上辺を折り曲げてゴム通し袋を形成するための綴じ込み位置（H1、H2）は、綴じ込み状
態における（図５の状態）における布地の横長さに対して、１／３０〜１／１５が好まし
い。この範囲外になると隣接したきれいなしわ模様が形成されない。
かかる寸法により外形がりんご形状の収納袋を作製した。
本図は実寸の約１／２で記載されている。
その際に、極点の隙間にから、リンゴのへた（茶色）、とリンゴの葉（緑色）を模した
飾りを収納袋の外部に向けて挿入すればよい。
作製した収納袋の正面図、右側面図、背面図、左側面図、上面図、下面図、斜視図を図
７から図１３に示す。
【００１９】
（形態２）
本形態においては、収納袋をリバーシブルとした。
図５における布地１と同じ構成の布地を、ファスナー２の紙面手前側に、面対称に綴じ
こめることにより、リバーシブルの収納袋を作成することができる。
使用する布地の色を違うものとしてもよい。例えば、一面は赤色の布地、他面は黄色の
布地を使用すれば、一面は赤色のリンゴ、他の一面は黄色のリンゴに模した収納袋を作成
することができる。
作製した収納袋の一面は、図７から図１３に示す図と同様である。リバーシブルな他の
一面を図１５から図２１に示す。本例では、一面は赤色のりんご、他の一面は黄色のりん
ご形状である。
なお、図１４に示すへた（つる）及び葉を模した装飾を極点から挿入した。
なお、表裏の装飾の中間部分にこぶを形成しておくことが好ましい。こぶは、例えば、装飾を中間で結び目を作ることにより形成できる。また、例えば、「表裏のリンゴのつる同士」、「カーリングの手同士」、「カーリングの手とりんごのつる同士」の部分の間にこぶを作ることでつりさげた場合にひっぱられても抜けないように強化される。装飾を挿入してから開口をすぼめればよい。
【００２０】
（形態３）
本形態では、図２２に示すように、布地１の上部と下部を真ん中の布地の色とは別の色
の布地１０、１１とした。
これにより、極点から所定の範囲は色違いの円錐形状ないし模様を示す収納袋となる。
例えば、極点からＬ字状の装飾を挿入すればカーリングを模した収納袋とすることが可能
となる。
また、形態２で述べたリバーシブルとして、一面はリンゴ形状とし、他面はカーリング
形状とすることも可能である。
【符号の説明】
【００２１】
１  布地
１ｂ  布地
１ａ、１ｂ１，１ｂ２  布地
１ｕ  上辺
１ｄ  下辺
１ｌ  左辺
１ｒ  右辺
２  ファスナー
３ｕ，３ｄ  縫い合わせ
４ｕ，４ｄ  ゴム通し袋
５ｕ，５ｄ  折込
６  縫い合わせ
１０，１１  異なった色の布地
【図１】
0003165720.tif 000003
【図２】
0003165720.tif 000004
【図３】
0003165720.tif 000005
【図４】
0003165720.tif 000006
【図５】
0003165720.tif 000007
【図６】
0003165720.tif 000008
【図２２】
0003165720.tif 000009
【図７】
0003165720.tif 000010
【図８】
0003165720.tif 000011
【図９】
0003165720.tif 000012
【図１０】
0003165720.tif 000013
【図１１】
0003165720.tif 000014
【図１２】
0003165720.tif 000015
【図１３】
0003165720.tif 000016
【図１４】
0003165720.tif 000017
【図１５】
0003165720.tif 000018
【図１６】
0003165720.tif 000019
【図１７】
0003165720.tif 000020
【図１８】
0003165720.tif 000021
【図１９】
0003165720.tif 000022
【図２０】
0003165720.tif 000023
【図２１】
0003165720.tif 000024
【図２３】
0003165720.tif 000025
【図２４】
0003165720.tif 000026
【図２５】
0003165720.tif 000027
【図２６】
0003165720.tif 000028
【図２７】
0003165720.tif 000029
【図２８】
0003165720.tif 000030
【図２９】
0003165720.tif 000031